(57)【要約】【課題】同期をとるための系列と送信データとの干渉を防止して移動局における送信データの受信品質を向上すること。【解決手段】基地局装置１００において、フレーム形成部１２０は送信データと受信側においてフレームタイミング及び基地局スクランブリングコードが所属するコードグループを同定するために用いられる系列とを、サブキャリア及び時間により特定される、同一のシンボルで互いに重ならないように配置してフレームを形成し、ＲＦ送信部１５０はそのフレームを送信する。移動局装置２００において、ＲＦ受信部２１０は基地局装置１００からフレームを受信し、ＳＣＨ相関値算出部２４０は前記系列の全候補をフレームに順次掛け合わせて相関をとり、フレームタイミング／コードグループ検出部２５０はＳＣＨ相関値算出部２４０から得た相関値に基づいてフレームタイミング及びコードグループを検出する。【選択図】図１
2011015447.tif 000002
【特許請求の範囲】
【請求項１】
全サブキャリアの一部である第１のサブキャリアの第１の時間に配置された第１の同期信号を用いてタイミング同期を行い、
前記第１のサブキャリアの、前記第１の時間とは異なる第２の時間に配置された第２の同期信号を用いてコードグループの同定を行う、
コードグループ同定方法。
【請求項２】
前記第１の時間と前記第２の時間との時間間隔は一定である、
請求項１記載のコードグループ同定方法。
【請求項３】
前記第１のサブキャリアには全て前記第１の同期信号と前記第２の同期信号との双方を配置され、
前記全サブキャリアのうち前記第１のサブキャリア以外のサブキャリアには前記第１の同期信号を配置せず、前記第２の同期信号も配置されていない、
請求項１記載のコードグループ同定方法。
【請求項４】
全サブキャリアの一部である第１のサブキャリアの第１の時間に配置された第１の同期信号を用いてタイミング同期を行うタイミング同期手段と、
前記第１のサブキャリアの、前記第１の時間とは異なる第２の時間に配置された第２の同期信号を用いてコードグループを同定手段と、
を有するコードグループ同定装置。
【請求項５】
前記第１の時間と前記第２の時間との時間間隔は一定である、
請求項４記載のコードグループ同定装置。
【請求項６】
前記第１のサブキャリアには全て前記第１の同期信号と前記第２の同期信号との双方を配置され、
前記全サブキャリアのうち前記第１のサブキャリア以外のサブキャリアには前記第１の同期信号を配置せず、前記第２の同期信号も配置されていない、
請求項４記載のコードグループ同定装置。
【請求項７】
全サブキャリアの一部である第１のサブキャリアの第１の時間に配置された第１の同期信号を用いてタイミング同期を行うタイミング同期手段、
を有するタイミング同期装置。
【発明の詳細な説明】
【技術分野】
【０００１】
本発明は、コードグループ同定方法およびコードグループ同定装置に関し、特に基地局装置と、当該基地局装置から送信されるフレームに基づいてセルサーチを行う移動局装置とを有する通信システムに用いられるコードグループ同定方法およびコードグループ同定装置に関する。
【背景技術】
【０００２】
マルチキャリア通信システムでは、基地局装置がカバーするセルを識別するためにセルごとに異なるスクランブルコードを割り当てており、移動局装置は移動に伴うセルの切り替え（ハンドオーバ）時や間欠受信時などにセルサーチ、つまりセルを識別するためのスクランブルコードの同定を行う必要がある。セルサーチの方法としては、３段階セルサーチがよく知られている（例えば、非特許文献１参照）。
【０００３】
３段階セルサーチは、シンボルタイミングの検出（第１段階）、スクランブルコードグループの同定、およびスクランブルコードタイミング即ちフレームタイミングの検出（第２段階）、スクランブルコードの同定（第３段階）の順で行われる。
【０００４】
図２０は、従来の３段階セルサーチにおけるフレーム構成を示す図である。同図において、横軸は時間、縦軸は電力、奥行きは周波数を示す。同図に示すように、時間軸方向に連続したＳＣＨ（Synchronization Channel：同期チャネル）が周波数軸方向に等間隔のサブキャリアに多重されている。このＳＣＨは、受信側において「同期をとるための系列」として利用される。また、同一セル内のサブキャリアには、シンボル系列パターンの共通なＳＣＨが割り当てられている。以下、各段階について説明する。
【０００５】
第１段階では、ＯＦＤＭのガードインタバルの相関特性を利用して、移動局装置はシンボルタイミング（すなわち、ＦＦＴ（Fast Fourier Transform：高速フーリエ変換）ウィンドウタイミング）を検出する。
【０００６】
第２段階では、ＳＣＨを利用してフレームタイミングの検出が行われる。すなわち、移動局装置は受信データ信号に対しＦＦＴ処理を施して、ＳＣＨが多重されているサブキャリアを分離し、サブキャリアごとにＦＦＴ処理後の受信データ信号とＳＣＨ系列のレプリカとの時間方向の相関をとる。そして、移動局装置は、得られた相関値をサブキャリア間で電力加算し、最も大きな相関値が得られるタイミングをフレームタイミングとして検出する。このとき、ＳＣＨ系列を複数用意し、ＳＣＨ系列ごとにコードグループを対応させておくことで、移動局装置はフレームタイミングの検出と同時にコードグループの同定を行うことができる。具体的には、移動局装置は、サブキャリアごとに複数のＳＣＨ系列のレプリカとＦＦＴ処理後の受信データ信号との時間方向の相関演算を行う。そして、得られた相関値をＳＣＨ系列ごとにサブキャリア間で電力加算し、最も大きな相関値が得られるＳＣＨ系列と対応するコードグループを同定する。このように、第２段階において、フレームタイミングの検出およびコードグループの同定が行われる。
【０００７】
第３段階では、第２段階にて検出されたフレームタイミングから時間多重されたＣＰＩＣＨ（Common Pilot Channel：共通パイロットチャネル）が抽出される。そして、２段階で同定したコードグループに属するすべてのスクランブルコードに対応するＣＰＩＣＨのレプリカが生成される。そして、移動局装置は、生成したＣＰＩＣＨレプリカと抽出したＣＰＩＣＨとの相関を取り、最も大きい相関値に対応するスクランブルコードを、セルのスクランブルコードと同定する。
【先行技術文献】
【非特許文献】
【０００８】
【非特許文献１】花田，新，樋口，佐和橋（NTT DoCoMo），RCS2001-091 (2001-07)“ブロードバンドマルチキャリアCDMA伝送における周波数多重同期チャネルを用いた3段階セルサーチ特性”
【発明の概要】
【発明が解決しようとする課題】
【０００９】
しかしながら、従来のマルチキャリアＣＤＭＡにおけるセルサーチ方法では、ＳＣＨをＴＣＨ（Traffic Channel）即ち送信データに対して付加的に送信しているため、ＳＣＨがＴＣＨに与える干渉に起因して、受信側におけるＴＣＨの受信品質が劣化するおそれがある。
【００１０】
本発明は、かかる点に鑑みてなされたものであり、同期をとるための系列と送信データとの干渉を防止して送信データの受信品質を向上するコードグループ同定方法およびコードグループ同定装置を提供することを目的とする。
【課題を解決するための手段】
【００１１】
本発明の第１の態様に係る基地局装置は、マルチキャリア送信を行う基地局装置であって、送信データと受信側においてフレームタイミングおよび基地局スクランブリングコードが所属するコードグループを同定するために用いられる系列とを、サブキャリアおよび時間により特定される、同一のシンボルで互いに重ならないように配置してフレームを形成するフレーム形成手段と、形成された前記フレームを送信する送信手段と、を具備する構成を採る。
【００１２】
本発明の第２の態様に係る移動局装置は、基地局装置から送信されたフレームに基づいてセルサーチを行う移動局装置であって、送信データとフレームタイミングおよび基地局スクランブリングコードが所属するコードグループを同定するために用いられる系列とが、サブキャリアおよび時間により特定される、同一のシンボルで互いに重ならないように配置されたフレームを受信する受信手段と、前記系列の全候補を前記フレームに順次掛け合わせて相関をとる相関手段と、前記相関手段にて得られる相関値に基づいて、前記フレームタイミングおよび前記コードグループを検出する検出手段と、を具備する構成を採る。
【発明の効果】
【００１３】
本発明によれば、同期をとるための系列と送信データとの干渉を防止して送信データの受信品質を向上することができる。
【図面の簡単な説明】
【００１４】
【図１】本発明の実施の形態１に係る基地局装置の構成を示すブロック図
【図２】図１の基地局装置が送信するフレーム構成の一例を示す図
【図３】実施の形態１に係る移動局装置の構成を示すブロック図
【図４】図１の基地局装置が送信するフレーム構成の他の例を示す図
【図５】実施の形態２に係る基地局装置の構成を示すブロック図
【図６】図５の基地局装置が送信するフレーム構成の一例を示す図
【図７】実施の形態２に係る移動局装置の構成を示すブロック図
【図８】図５の基地局装置が送信するフレーム構成の他の例を示す図
【図９】実施の形態３に係る基地局装置の構成を示すブロック図
【図１０】図９の基地局装置が送信するフレーム構成の一例を示す図
【図１１】実施の形態３に係る移動局装置の構成を示すブロック図
【図１２】図９の基地局装置が送信するフレーム構成の他の例を示す図
【図１３】実施の形態４に係る基地局装置の構成を示すブロック図
【図１４】図１３の基地局装置が送信するフレーム構成の一例を示す図
【図１５】実施の形態４に係る移動局装置の構成を示すブロック図
【図１６】図１３の基地局装置が送信するフレーム構成の他の例を示す図
【図１７】実施の形態５に係る基地局装置の構成を示すブロック図
【図１８】図１７の基地局装置が送信するフレーム構成の一例を示す図
【図１９】実施の形態５に係る移動局装置の構成を示すブロック図
【図２０】従来の３段階セルサーチにおけるフレーム構成を示す図
【発明を実施するための形態】
【００１５】
以下、本発明の実施の形態について図面を参照して詳細に説明する。なお、実施の形態において、同一の構成要素には同一の符号を付し、その説明は重複するので省略する。
【００１６】
（実施の形態１）
図１に示すように実施の形態１の基地局装置１００は、誤り訂正符号化部１０５と、変調部１１０と、ＣＰＩＣＨ生成部１１５と、フレーム形成部１２０と、ＩＦＦＴ部１４０と、ＧＩ挿入部１４５と、ＲＦ送信部１５０とを有する。そして、フレーム形成部１２０は、フレーム構成部１２５と、スクランブリング処理部１３０と、ＳＣＨ挿入部１３５とを有する。
【００１７】
誤り訂正符号化部１０５は、送信データを入力し、所定の誤り訂正符号化処理を施す。変調部１１０は、誤り訂正符号化後の信号を入力し、所定の変調処理を施す。ＣＰＩＣＨ生成部１１５は、ＣＰＩＣＨシンボルを生成する。
【００１８】
フレーム構成部１２５は、ＣＰＩＣＨシンボルおよび変調後の信号を入力し、ＳＣＨ挿入部１３５にてＳＣＨ系列が挿入されるフレームにおける位置を考慮して、周波数軸上および時間軸上の予め決められている位置に配置する。こうしてフレーム構成部１２５にて組み立てられたフレームはスクランブリング処理部１３０に入力される。
【００１９】
スクランブリング処理部１３０は、フレーム構成部１２５にて形成されたフレームに対して基地局装置１００に固有の基地局スクランブリングコードを乗算する。なお、この基地局スクランブリングコードは、基地局装置１００がカバーするセル（又はセクタ）を識別するために用いられる。
【００２０】
ＳＣＨ挿入部１３５は、スクランブリング処理部１３０にて基地局スクランブリングコードが掛け合わされたフレームに対して、同期用コードとしてのＳＣＨ系列を挿入する。本実施の形態においては、予め定められている複数のサブキャリアに、すなわち予め決められている周波数軸上にＳＣＨ系列を周波数多重して、周波数多重したＳＣＨ系列をスクランブリング処理後のフレームに挿入する。なお、ＳＣＨ系列には、基地局スクランブリングコードをグルーピングするコードグループに対応するコードグループ系列が用いられる。また、ここでは、ＳＣＨ系列の長さが１フレーム長に相当し、ＳＣＨ系列はフレームタイミングに合わせて配置されている。
【００２１】
以上のようにフレーム形成部１２０により形成されるフレームは図２に示すような構成をとる。すなわち、予め定められた複数のサブキャリアにはＳＣＨ系列が時間軸方向に配置され、他のサブキャリアにはＴＣＨ（Traffic CHannel）が配置され、ＳＣＨ系列とＴＣＨ系列とが周波数に関して重なるところがないフレーム構成となっている。このようなフレーム構成をとることにより、ＳＣＨ系列とＴＣＨ系列との間の干渉を防止することができるため、このフレームの受信側におけるＴＣＨの受信品質を向上することができる。
【００２２】
ＩＦＦＴ部１４０は、ＳＣＨ挿入部１３５にてＳＣＨ系列が挿入されたフレーム（送信信号）を逆高速フーリエ変換（ＩＦＦＴ）して周波数領域から時間軸領域に変換した後に、ＧＩ挿入部１４５に出力する。
【００２３】
ＧＩ挿入部１４５は、ＩＦＦＴ部１４０の出力信号にガードインタバル（ＧＩ）を挿入する。このガードインタバルは、ＯＦＤＭシンボルごとに挿入される。
【００２４】
ガードインタバル挿入後の信号は、ＲＦ送信部１５０にてアップコンバート、Ａ／Ｄ変換などのＲＦ処理が施され、アンテナを介して送信される。
【００２５】
図３に示すように実施の形態１の移動局装置２００は、ＲＦ受信部２１０と、シンボルタイミング検出部２２０と、ＦＦＴ処理部２３０と、ＳＣＨ相関値算出部２４０と、フレームタイミング／コードグループ検出部２５０と、スクランブリングコード同定部２６０と、デスクランブリング処理部２７０と、復調部２８０と、誤り訂正復号部２９０とを有する。
【００２６】
ＲＦ受信部２１０は、基地局装置１００から送信されるマルチキャリア信号を、アンテナを介して受信し、受信信号に対して所定の無線受信処理（ダウンコンバート、Ａ／Ｄ変換など）を施す。
【００２７】
シンボルタイミング検出部２２０は、受信信号に含まれるガードインタバルの相関特性により、シンボルタイミングを検出する（セルサーチの第１段階）。
【００２８】
ＦＦＴ処理部２３０は、シンボルタイミング検出部２２０にて検出されたシンボルタイミングに応じて、ガードインタバルを除去するとともにＦＦＴ処理を施す。
【００２９】
ＳＣＨ相関値算出部２４０は、ＦＦＴ処理後の受信信号を入力し、ＳＣＨ系列が多重されているサブキャリア（以下、「ＳＣＨサブキャリア」と呼ぶことがある）について、受信信号とＳＣＨ系列のレプリカとの時間方向の相関演算を行う。なお、この相関演算は、想定されるすべてのコードグループに関し、各コードグループに対応するＳＣＨ系列のレプリカを用いて行われる。
【００３０】
すなわち、ＳＣＨ相関値算出部２４０は、ＳＣＨ系列が多重されているサブキャリアの信号（以下、「ＳＣＨサブキャリア信号」と呼ぶことがある）と、すべてのコードグループ系列に対応するＳＣＨ系列レプリカとの時間軸方向の相関演算を行う。つまり、コードグループごとの各ＳＣＨサブキャリア信号の相関値が算出される。
【００３１】
フレームタイミング／コードグループ検出部２５０は、各コードグループに関する複数のＳＣＨサブキャリアに対応する相関値を電力加算し、最も大きな加算相関値（最大加算相関値）が得られるタイミングおよび最大加算相関値を求める際に用いられたＳＣＨ系列レプリカに対応するコードグループを、それぞれフレームタイミングおよびコードグループとして検出する（セルサーチの第２段階）。
【００３２】
スクランブリングコード同定部２６０は、フレームタイミング／コードグループ検出部２５０にて検出されたフレームタイミングに従って受信信号から抽出されたＣＰＩＣＨ信号と、同定されたコードグループに属するすべてのスクランブリングコードに対応するＣＰＩＣＨレプリカとの相関演算を行い、最も大きな相関値の得られるＣＰＩＣＨレプリカに対応するスクランブリングコードを基地局装置１００のセルに対応する基地局スクランブリングコードであると同定する（セルサーチの第３段階）。
【００３３】
デスクランブリング処理部２７０は、ＦＦＴ処理部２３０からのＦＦＴ処理後の信号を入力し、スクランブリングコード同定部２６０にて同定された基地局スクランブリングコードを掛け合わせてデスクランブルを行い、デスクランブル後の信号を復調部２８０に出力する。
【００３４】
復調部２８０は、デスクランブル後の信号を入力し、適切な復調処理を行って復調後の信号を誤り訂正復号部２９０に出力する。
【００３５】
誤り訂正復号部２９０は、復調後の信号を入力し、適切な誤り訂正復号処理を施して誤り訂正復号後の信号を受信データとして出力する。
【００３６】
なお、上記説明においては、ＳＣＨ系列の長さが１フレーム長であるものとして説明を行ったが、これに限定されるものではなく、例えば、図４に示すように１フレーム長より短くてもよい。また、図４においてはＳＣＨ系列の長さがＴＴＩ単位の整数倍になっているが、必ずしもＴＴＩ単位の長さでなくてもよい。要は、フレームの先頭（すなわち、フレームタイミング）と所定の位置関係にフレーム長又はフレーム長未満のＳＣＨ系列を配置し、受信側においてこのＳＣＨ系列とＳＣＨ系列レプリカとの相関値に基づいてフレームタイミング、さらにはコードグループを同定できればよい。ただし、ＳＣＨ系列の長さを１フレーム未満にした場合には、１フレームにおけるＳＣＨ系列を配置した以外の時間帯にＴＣＨを配置することで、ＳＣＨ系列とＴＣＨ系列とを同一周波数上に時間的に重なることなく配置することができるので、ＳＣＨ系列とＴＣＨ系列との干渉を防止してＴＣＨ系列の受信品質を向上することができ、且つ、ＴＣＨ系列の伝送量を増大することができる。また、ＳＣＨ系列の長さを１フレーム未満にした場合には、受信側の移動局装置２００における、相関値算出時の演算量を低減することができる。
【００３７】
このように実施の形態１によれば、マルチキャリア送信を行う基地局装置１００に、送信データ（ＴＣＨ系列）と受信側（移動局装置２００）においてフレームタイミングおよび基地局スクランブリングコードが所属するコードグループを同定するために用いられる系列（ＳＣＨ系列）とを、サブキャリアおよび時間により特定される、同一のシンボルで互いに重ならないように配置してフレームを形成するフレーム形成部１２０と、形成された前記フレームを送信するＲＦ送信部１５０と、を設けた。
【００３８】
こうすることにより、ＳＣＨ系列とＴＣＨ系列との干渉を防止してＴＣＨ系列の受信品質を向上することができる。
【００３９】
フレーム形成部１２０は、予め定められている複数のサブキャリアにおいて前記系列（ＳＣＨ系列）を時間方向に配置し、前記系列（ＳＣＨ系列）を配置したシンボル以外に前記送信データ（ＴＣＨ系列）を配置する。
【００４０】
こうすることにより、ＳＣＨ系列とＴＣＨ系列とを同一周波数上に時間的に重なることなく配置することができるので、ＳＣＨ系列とＴＣＨ系列との干渉を防止してＴＣＨ系列の受信品質を向上することができる。
【００４１】
フレーム形成部１２０は、前記系列（ＳＣＨ系列）の長さを１フレーム長未満とし、且つ、フレームタイミングに先頭を合わせて前記系列（ＳＣＨ系列）を配置する。
【００４２】
こうすることにより、ＳＣＨ系列とＴＣＨ系列との干渉を防止してＴＣＨ系列の受信品質を向上することができ、且つ、長さを１フレーム長未満とすることで余った部分をＴＣＨ系列に割り当てることができるためＴＣＨ系列の伝送量を増大することができる。
【００４３】
また、実施の形態１によれば、基地局装置１００から送信されたフレームに基づいてセルサーチを行う移動局装置２００に、送信データ（ＴＣＨ系列）とフレームタイミングおよび基地局スクランブリングコードが所属するコードグループを同定するために用いられる系列（ＳＣＨ系列）とが、サブキャリアおよび時間により特定される、同一のシンボルで互いに重ならないように配置されたフレームを受信するＲＦ受信部２１０と、前記系列（ＳＣＨ系列）の全候補を前記フレームに順次掛け合わせて相関をとるＳＣＨ相関値算出部２４０と、ＳＣＨ相関値算出部２４０にて得られる相関値に基づいて、前記フレームタイミングおよび前記コードグループを検出するフレームタイミング／コードグループ検出部２５０と、を設けた。
【００４４】
こうすることにより、ＳＣＨ系列とＴＣＨ系列との干渉を防止してＴＣＨ系列の受信品質を向上することができる。
【００４５】
（実施の形態２）
本実施の形態の特徴は、基地局装置がフレームタイミング検出用とコードグループ同定用の２種類の異なるＳＣＨ系列（ＳＣＨ１およびＳＣＨ２）をフレームに挿入して送信する点である。
【００４６】
図５に示すように実施の形態２の基地局装置３００は、フレーム形成部３１０を有する。このフレーム形成部３１０は、フレーム構成部３２０と、ＳＣＨ挿入部３３０とを有する。
【００４７】
フレーム構成部３２０は、ＣＰＩＣＨシンボルおよび変調後の信号を入力し、ＳＣＨ挿入部３３０にて２つの異なるＳＣＨ系列（ＳＣＨ１、ＳＣＨ２）が挿入されるフレームにおける位置を考慮して、周波数軸上および時間軸上の予め決められている位置に配置する。こうしてフレーム構成部３２０にて組み立てられたフレームはスクランブリング処理部１３０に入力される。
【００４８】
ＳＣＨ挿入部３３０は、スクランブリング処理部１３０にて基地局スクランブリングコードが掛け合わされたフレームに対して、２つの異なるＳＣＨ系列（ＳＣＨ１、ＳＣＨ２）を挿入する。本実施の形態においては、予め定められている複数のサブキャリアに、すなわち予め決められている周波数軸上に２つの異なるＳＣＨ系列（ＳＣＨ１、ＳＣＨ２）を周波数多重して、周波数多重したＳＣＨ系列をスクランブリング処理後のフレームに挿入する。
【００４９】
以上のようにフレーム形成部３１０により形成されるフレームは図６に示すような構成をとる。すなわち、予め定められた複数のサブキャリアにはＳＣＨ系列が時間軸方向に配置され、他のサブキャリアにはＴＣＨ（Traffic CHannel）が配置され、ＳＣＨ系列とＴＣＨ系列とが周波数に関して重なるところがないフレーム構成となっている。さらに、ＳＣＨ系列を挿入するサブキャリアに関し１フレームが２つの時間領域に分割され、各々の時間領域に異なる２つのＳＣＨ系列（ＳＣＨ１、ＳＣＨ２）が配置されている。
【００５０】
なお、ここでは、２つの異なるＳＣＨ系列のうちＳＣＨ２には、基地局スクランブリングコードをグルーピングするコードグループに対応するコードグループ系列が用いられる。そして、ＳＣＨ１はフレームタイミング検出に用いられ、ＳＣＨ２はコードグループ同定のために用いられる。また、ここではＳＣＨ１およびＳＣＨ２の長さが１／２フレーム長に相当し、ＳＣＨ１がフレーム前半の時間領域にフレームタイミングに合わせて配置され、ＳＣＨ２がフレーム後半の時間領域にＳＣＨ１の末尾に先頭を合わせて、さらに末尾をフレームの末尾に合わせて配置されている。このようなフレーム構成をとることにより、ＳＣＨ系列とＴＣＨ系列との間の干渉を防止することができるため、このフレームの受信側におけるＴＣＨの受信品質を向上することができる。
【００５１】
図７に示すように実施の形態２の移動局装置４００は、ＳＣＨ１相関値算出部４１０と、フレームタイミング検出部４２０と、ＳＣＨ２相関値算出部４３０と、コードグループ検出部４４０と、スクランブリングコード同定部４５０とを有する。
【００５２】
ＳＣＨ１相関値算出部４１０は、ＦＦＴ処理後の受信信号を入力し、ＳＣＨ１が多重されているＳＣＨ１サブキャリアについて、受信信号とＳＣＨ１系列のレプリカとの時間方向の相関演算を行う。なお、上記フレームの構成、すなわちＳＣＨ１系列の長さが１／２フレーム長である構成では、時間方向の相関演算も１／２フレームについて行えばよく、実施の形態１と比べて演算量を低減することができる。
【００５３】
フレームタイミング検出部４２０は、複数のＳＣＨ１サブキャリアに対応する相関値を電力加算し、最も大きな加算相関値（最大加算相関値）が得られるタイミングをフレームタイミングとして検出する。そして、フレームタイミング検出部４２０は、フレームタイミング情報をＳＣＨ２相関値算出部４３０に出力する。
【００５４】
ＳＣＨ２相関値算出部４３０は、ＦＦＴ処理後の受信信号を入力し、フレームタイミング検出部４２０からのフレームタイミング情報が示すフレームタイミングに従って、受信信号と、ＳＣＨ２系列レプリカとの相関演算を行う。ここで、フレームタイミングが検出されると、ＳＣＨ２系列のフレームにおける位置（配置）が決まるので、相関演算処理量を低減することができる。なお、この相関演算は、想定されるすべてのコードグループに関し、各コードグループに対応するＳＣＨ２系列のレプリカを用いて行われる。
【００５５】
すなわち、ＳＣＨ２相関値算出部４３０は、ＳＣＨ２系列が多重されているサブキャリアの信号（以下、「ＳＣＨ２サブキャリア信号」と呼ぶことがある）と、すべてのコードグループ系列に対応するＳＣＨ２系列レプリカとの相関演算をフレームタイミングに基づいて行う。つまり、フレームタイミングに基づいて、コードグループごとの各ＳＣＨ２サブキャリア信号の相関値が算出される。
【００５６】
コードグループ検出部４４０は、各コードグループに関する複数のＳＣＨ２サブキャリアに対応する相関値を電力加算し、最大加算相関値を求める際に用いられたＳＣＨ２系列レプリカに対応するコードグループを、コードグループとして検出する。
【００５７】
スクランブリングコード同定部４５０は、フレームタイミング検出部４２０にて検出されたフレームタイミングに従って受信信号から抽出されたＣＰＩＣＨ信号と、同定されたコードグループに属するすべてのスクランブリングコードに対応するＣＰＩＣＨレプリカとの相関演算を行い、最も大きな相関値の得られるＣＰＩＣＨレプリカに対応するスクランブリングコードを基地局装置３００のセルに対応する基地局スクランブリングコードであると同定する（セルサーチの第３段階）。
【００５８】
なお、上記説明においては、ＳＣＨ１系列およびＳＣＨ２の長さが１／２フレーム長であるものとして説明を行ったが、これに限定されるものではなく、例えば、図８に示すように１／２フレーム長より短くてもよい。また、図６および図８にはＳＣＨ１サブキャリアと、ＳＣＨ２サブキャリアが同一であるフレーム構成を示しているが、異なっていてもよい。また、ＳＣＨ１とＳＣＨ２とが配置される時間軸方向の位置関係も任意である。
【００５９】
要は、フレームの先頭（すなわち、フレームタイミング）と所定の位置関係に１／２フレーム長又は１／２フレーム長未満のＳＣＨ１系列を配置し、受信側においてこのＳＣＨ１系列とＳＣＨ１系列レプリカとの相関値に基づいてフレームタイミングを同定できればよく、さらにフレームの先頭（すなわち、フレームタイミング）と所定の位置関係に１／２フレーム長又は１／２フレーム長未満のＳＣＨ２系列を配置し、受信側においてこのＳＣＨ２系列とＳＣＨ２系列レプリカとの相関値に基づいてコードグループを同定できればよい。
【００６０】
このように実施の形態２によれば、マルチキャリア送信を行う基地局装置３００に、送信データ（ＴＣＨ系列）と受信側（移動局装置４００）においてフレームタイミングおよび基地局スクランブリングコードが所属するコードグループを同定するために用いられる系列（ＳＣＨ系列）とを、サブキャリアおよび時間により特定される、同一のシンボルで互いに重ならないように配置してフレームを形成するフレーム形成部３１０と、形成された前記フレームを送信するＲＦ送信部１５０とを設け、このフレーム形成部３１０は、フレームタイミングを同定するための第１の系列（ＳＣＨ１系列）と当該第１の系列と異なる前記コードグループを同定するための第２の系列（ＳＣＨ２系列）とを両系列ともに１／２フレーム長以下とし、且つ、各系列ごとにフレームの先頭から所定の位置に配置する。実施の形態２においては、フレーム形成部３１０は、特に、前記第１の系列の先頭をフレームの先頭に合わせ前記第２の系列の末尾をフレームの末尾に合わせて配置する。
【００６１】
こうすることにより、ＳＣＨ系列とＴＣＨ系列との干渉を防止してＴＣＨ系列の受信品質を向上することができ、さらに第１の系列（ＳＣＨ１系列）を１／２フレーム長以下とすることにより従来１フレームにわたってＳＣＨ系列を配設していた場合に比べて受信側の移動局装置４００における、相関値算出時の演算量を低減することができる。またさらに、受信側の移動局装置４００において第１の系列（ＳＣＨ１系列）を用いてフレームタイミングを検出した後は第２の系列（ＳＣＨ２系列）のフレームにおける位置（配置）が決まるので、相関演算処理量を低減することができる。また、フレームタイミングの検出と、コードグループの検出とを同時に行う必要がないので、時間ごとの処理量を低減することができる。
【００６２】
また、実施の形態２によれば、基地局装置３００から送信されたフレームに基づいてセルサーチを行う移動局装置４００に、フレームタイミングを同定するための第１の系列（ＳＣＨ１系列）と当該第１の系列と異なる前記コードグループを同定するための第２の系列（ＳＣＨ２系列）とを両系列ともに１／２フレーム長以下とし、且つ、前記第１の系列の先頭をフレームの先頭に合わせ前記第２の系列の末尾をフレームの末尾に合わせて時間方向に配置されたフレームを受信するＲＦ受信部２１０と、前記第１の系列の全候補を前記フレームに対して時間方向に順次掛け合わせて相関をとるＳＣＨ１相関値算出部４１０と、前記第２の系列の全候補を前記フレームに対して時間方向に順次掛け合わせて相関をとるＳＣＨ２相関値算出部４３０と、ＳＣＨ１相関値算出部４１０にて得られる相関値に基づいて前記フレームタイミングを検出するフレームタイミング検出部４２０と、ＳＣＨ２相関値算出部４３０にて得られる相関値に基づいて前記コードグループを検出するコードグループ検出部４４０とを設け、ＳＣＨ２相関値算出部４３０は、フレームタイミング検出部４２０にて検出された前記フレームタイミングに基づいて前記フレームにおける前記第２の系列が配置されている位置に前記第２の系列の全候補を順次掛け合わせる。
【００６３】
こうすることにより、ＳＣＨ系列とＴＣＨ系列との干渉を防止してＴＣＨ系列の受信品質を向上することができ、さらに第１の系列（ＳＣＨ１系列）を１／２フレーム長以下とすることにより従来１フレームにわたってＳＣＨ系列を配設していた場合に比べて移動局装置４００における、相関値算出時の演算量を低減することができる。またさらに、移動局装置４００において第１の系列（ＳＣＨ１系列）を用いてフレームタイミングを検出した後は第２の系列（ＳＣＨ２系列）のフレームにおける位置（配置）が決まるので、相関演算処理量を低減することができる。また、フレームタイミングの検出と、コードグループの検出とを同時に行う必要がないので、時間ごとの処理量を低減することができる。
【００６４】
（実施の形態３）
本実施の形態の特徴は、基地局装置がフレームの先頭から所定の位置のＯＦＤＭシンボルのすべて又は一部に、ＳＣＨ系列を挿入して送信する点にある。
【００６５】
図９に示すように実施の形態３の基地局装置５００は、フレーム形成部５１０を有する。このフレーム形成部５１０は、フレーム構成部５２０と、ＳＣＨ挿入部５３０とを有する。
【００６６】
フレーム構成部５２０は、ＣＰＩＣＨシンボルおよび変調後の信号を入力し、ＳＣＨ挿入部５３０にてＳＣＨ系列が挿入されるフレームにおける位置を考慮して、周波数軸上および時間軸上の予め決められている位置に配置する。こうしてフレーム構成部５２０にて組み立てられたフレームはスクランブリング処理部１３０に入力される。
【００６７】
スクランブリング処理部１３０は、フレーム構成部５２０にて形成されたフレームに対して基地局装置５００に固有の基地局スクランブリングコードを乗算する。なお、この基地局スクランブリングコードは、基地局装置５００がカバーするセル（又はセクタ）を識別するために用いられる。
【００６８】
ＳＣＨ挿入部５３０は、スクランブリング処理部１３０にて基地局スクランブリングコードが掛け合わされたフレームに対して、同期用コードとしてのＳＣＨ系列を挿入する。本実施の形態においては、予め定められているＯＦＤＭシンボルに、即ちすべてのサブキャリアの特定のシンボルタイミングにＳＣＨ系列を時間多重して、時間多重したＳＣＨ系列をスクランブリング処理後のフレームに挿入する。なお、ＳＣＨ系列には、基地局スクランブリングコードをグルーピングするコードグループに対応するコードグループ系列が用いられる。
【００６９】
以上のようにフレーム形成部５１０により形成されるフレームは図１０に示すような構成をとる。すなわち、フレーム中の予め定められているＯＦＤＭシンボルには、ＳＣＨ系列が周波数軸方向に配置され、他のＯＦＤＭシンボルにはＴＣＨ（Traffic CHannel）が配置され、ＳＣＨ系列とＴＣＨ系列とが時間に関して重なるところがないフレーム構成となっている。このようなフレーム構成をとることにより、ＳＣＨ系列とＴＣＨ系列との間の干渉を防止することができるため、このフレームの受信側におけるＴＣＨの受信品質を向上することができる。
【００７０】
図１１に示すように実施の形態３の移動局装置６００は、ＳＣＨ相関値算出部６１０と、フレームタイミング／コードグループ検出部６２０とを有する。
【００７１】
ＳＣＨ相関値算出部６１０は、１フレーム分のすべてのＯＦＤＭシンボルについて、各ＯＦＤＭシンボルと、ＳＣＨ系列レプリカとの周波数方向の相関演算を行う。なお、この相関演算は、想定されるすべてのコードグループに関し、各コードグループに対応するＳＣＨ系列のレプリカを用いて行われる。つまり、各コードグループおよびＯＦＤＭシンボルごとの相関値が算出される。
【００７２】
フレームタイミング／コードグループ検出部６２０は、ＳＣＨ相関値算出部６１０にて算出された各コードグループおよびＯＦＤＭシンボルごとの相関値のうち、最も大きな相関値（最大相関値）が得られるタイミングおよび最大相関値を求める際に用いられたＳＣＨ系列レプリカに対応するコードグループを、それぞれフレームタイミングおよびコードグループとして検出する。
【００７３】
なお、上記説明においては、予め定められているＯＦＤＭシンボルに、即ちすべてのサブキャリアの特定のシンボルタイミングにＳＣＨ系列を時間多重して、時間多重したＳＣＨ系列をスクランブリング処理後のフレームに挿入するフレーム構成について説明を行った。しかしながら、これに限定されるものではなく、例えば、図１２に示すように予め定められているＯＦＤＭシンボルのうち一部のシンボル、すなわちＯＦＤＭシンボルのうちの一部のサブキャリアに係るシンボルにＳＣＨ系列を時間多重してフレームに挿入してもよい。要は、フレームの先頭から所定の位置のＯＦＤＭシンボルのすべて又は一部にＳＣＨ系列を配置し、受信側においてこのＳＣＨ系列とＳＣＨ系列レプリカとの周波数方向の相関値に基づいてフレームタイミングおよびコードグループを同定できればよい。
【００７４】
このように実施の形態３によれば、マルチキャリア送信を行う基地局装置５００に、送信データ（ＴＣＨ系列）と受信側（移動局装置６００）においてフレームタイミングおよび基地局スクランブリングコードが所属するコードグループを同定するために用いられる系列（ＳＣＨ系列）とを、サブキャリアおよび時間により特定される、同一のシンボルで互いに重ならないように配置してフレームを形成するフレーム形成部５１０と、形成された前記フレームを送信するＲＦ送信部１５０とを設け、このフレーム形成部５１０は、ＯＦＤＭシンボルのすべて又は一部のシンボルに周波数方向に前記系列（ＳＣＨ系列）を配置し、当該系列（ＳＣＨ系列）を配置したシンボル以外に前記送信データ（ＴＣＨ系列）を配置する。
【００７５】
こうすることにより、ＳＣＨ系列とＴＣＨ系列とを同一周波数上に時間的に重なることなく配置することができるので、ＳＣＨ系列とＴＣＨ系列との干渉を防止してＴＣＨ系列の受信品質を向上することができる。
【００７６】
（実施の形態４）
本実施の形態の特徴は、基地局装置がフレームの先頭から所定の位置のＯＦＤＭシンボルのすべて又は一部に、フレームタイミング検出用とコードグループ同定用の２種類の異なるＳＣＨ系列（ＳＣＨ１およびＳＣＨ２）を挿入して送信する点にある。
【００７７】
図１３に示すように実施の形態４の基地局装置７００は、フレーム形成部７１０を有する。このフレーム形成部７１０は、フレーム構成部７２０と、ＳＣＨ挿入部７３０とを有する。
【００７８】
フレーム構成部７２０は、ＣＰＩＣＨシンボルおよび変調後の信号を入力し、ＳＣＨ挿入部７３０にて２つの異なるＳＣＨ系列（ＳＣＨ１、ＳＣＨ２）が挿入されるフレームにおける位置を考慮して、周波数軸上および時間軸上の予め決められている位置に配置する。こうしてフレーム構成部７２０にて組み立てられたフレームはスクランブリング処理部１３０に入力される。
【００７９】
ＳＣＨ挿入部７３０は、スクランブリング処理部１３０にて基地局スクランブリングコードが掛け合わされたフレームに対して、２つの異なるＳＣＨ系列（ＳＣＨ１、ＳＣＨ２）を挿入する。本実施の形態においては、予め定められているＯＦＤＭシンボルに、即ちすべてのサブキャリアの特定のシンボルタイミングに、２つの異なるＳＣＨ系列（ＳＣＨ１、ＳＣＨ２）を時間多重して、時間多重したＳＣＨ系列をスクランブリング処理後のフレームに挿入する。
【００８０】
以上のようにフレーム形成部７１０により形成されるフレームは図１４に示すような構成をとる。すなわち、フレーム中の予め定められているＯＦＤＭシンボルには、２つの異なるＳＣＨ系列（ＳＣＨ１、ＳＣＨ２）が周波数軸方向に配置され、他のＯＦＤＭシンボルにはＴＣＨ（Traffic CHannel）が配置され、ＳＣＨ系列とＴＣＨ系列とが周波数に関して重なるところがないフレーム構成となっている。このようなフレーム構成をとることにより、ＳＣＨ系列とＴＣＨ系列との間の干渉を防止することができるため、このフレームの受信側におけるＴＣＨの受信品質を向上することができる。特に、図１４においては、ＳＣＨ１系列とＳＣＨ２系列とが、ＯＦＤＭシンボルのサブキャリアに交互に配置される構成となっている。
【００８１】
なお、ここでは、２つの異なるＳＣＨ系列のうちＳＣＨ２には、基地局スクランブリングコードをグルーピングするコードグループに対応するコードグループ系列が用いられる。そして、ＳＣＨ１はフレームタイミング検出に用いられ、ＳＣＨ２はコードグループ同定のために用いられる。
【００８２】
図１５に示すように実施の形態４の移動局装置８００は、ＳＣＨ１相関値算出部８１０と、フレームタイミング検出部８２０と、ＳＣＨ２相関値算出部８３０と、コードグループ検出部８４０と、スクランブリングコード同定部８５０とを有する。
【００８３】
ＳＣＨ１相関値算出部８１０は、ＦＦＴ処理後の受信信号を入力し、１フレーム分のすべてのＯＦＤＭシンボルについて、ＳＣＨ１系列が多重されているサブキャリアに関し受信信号とＳＣＨ１系列のレプリカとの周波数方向の相関演算を行う。なお、上記フレームの構成、すなわちＳＣＨ１系列がＯＦＤＭシンボルの一部に配置される構成では、周波数方向の相関演算も一部のサブキャリアについて行えばよく、実施の形態３と比べて演算量を低減することができる。
【００８４】
フレームタイミング検出部８２０は、ＳＣＨ１相関値算出部８１０にて算出された相関値をＯＦＤＭシンボルごとに電力加算し、最も大きな加算相関値（最大加算相関値）が得られるタイミングをフレームタイミングとして検出する。そして、フレームタイミング検出部８２０は、フレームタイミング情報をＳＣＨ２相関値算出部８３０に出力する。
【００８５】
ＳＣＨ２相関値算出部８３０は、ＦＦＴ処理後の受信信号を入力し、フレームタイミング検出部８２０からのフレームタイミング情報が示すフレームタイミングに従って、ＳＣＨ２系列が多重されているサブキャリアに関し受信信号とＳＣＨ２系列のレプリカとの周波数方向の相関演算を行う。ここで、フレームタイミングが検出されると、ＳＣＨ２系列のフレームにおける位置（時間および周波数により特定できる）が決まるので、相関演算処理量を低減することができる。なお、この相関演算は、想定されるすべてのコードグループに関し、各コードグループに対応するＳＣＨ２系列のレプリカを用いて行われる。
【００８６】
コードグループ検出部８４０は、ＳＣＨ２相関値算出部８３０にて算出された相関値をＯＦＤＭシンボルごとに電力加算し、最大加算相関値を求める際に用いられたＳＣＨ２系列レプリカに対応するコードグループを、コードグループとして検出する。
【００８７】
スクランブリングコード同定部８５０は、フレームタイミング検出部８２０にて検出されたフレームタイミングに従って受信信号から抽出されたＣＰＩＣＨ信号と、同定されたコードグループに属するすべてのスクランブリングコードに対応するＣＰＩＣＨレプリカとの相関演算を行い、最も大きな相関値の得られるＣＰＩＣＨレプリカに対応するスクランブリングコードを基地局装置７００のセルに対応する基地局スクランブリングコードであると同定する（セルサーチの第３段階）。
【００８８】
なお、上記説明においてはＳＣＨ１系列とＳＣＨ２系列とが、同一ＯＦＤＭシンボルのサブキャリアに交互に配置されるフレーム構成について説明を行った。しかしながら、これに限定されるものではなく、例えば、図１６に示すようにＳＣＨ１系列とＳＣＨ２系列とが、同一ＯＦＤＭシンボルの複数のサブキャリアからなるサブキャリアブロック単位で配置されるフレーム構成でもよい。また、ＳＣＨ１系列とＳＣＨ２系列とが同一ＯＦＤＭシンボルに配置されていなくてもよい。さらにＳＣＨ１系列とＳＣＨ２系列との間の周波数方向の位置関係も任意である。要は、フレームの先頭から所定の位置のＯＦＤＭシンボルの一部にＳＣＨ１系列を配置し、受信側においてこのＳＣＨ１系列とＳＣＨ系列レプリカとの周波数方向の相関値に基づいてフレームタイミングが同定でき、さらにフレームの先頭から所定の位置のＯＦＤＭシンボルの一部であってＳＣＨ１系列が配置されていないサブキャリア上又はシンボルタイミングにＳＣＨ２系列を配置し、受信側においてこのＳＣＨ２系列とＳＣＨ系列レプリカとの周波数方向の相関値に基づいてコードグループを同定できればよい。
【００８９】
このように実施の形態４によれば、基地局装置７００に、送信データ（ＴＣＨ系列）と受信側（移動局装置８００）においてフレームタイミングおよび基地局スクランブリングコードが所属するコードグループを同定するために用いられる系列（ＳＣＨ系列）とを、サブキャリアおよび時間により特定される、同一のシンボルで互いに重ならないように配置してフレームを形成するフレーム形成部７１０と、形成された前記フレームを送信するＲＦ送信部１５０とを設け、このフレーム形成部７１０は、フレームタイミングを同定するための第１の系列を前記ＯＦＤＭシンボルの一部のシンボルに配置し、当該第１の系列と異なる前記コードグループを同定するための第２の系列を前記第１の系列を配置した前記一部のシンボル以外に配置する。
【００９０】
こうすることにより、ＳＣＨ系列とＴＣＨ系列とを同一周波数上に時間的に重なることなく配置することができるので、ＳＣＨ系列とＴＣＨ系列との干渉を防止してＴＣＨ系列の受信品質を向上することができる。
【００９１】
また、実施の形態４によれば、基地局装置７００から送信されたフレームに基づいてセルサーチを行う移動局装置８００に、フレームタイミングを同定するための第１の系列（ＳＣＨ１系列）がＯＦＤＭシンボルの一部のシンボルに周波数方向に配置され、当該第１の系列と異なる前記コードグループを同定するための第２の系列（ＳＣＨ２系列）が前記第１の系列を配置した前記一部のシンボル以外に周波数方向に配置されたフレームを受信するＲＦ受信部２１０と、前記第１の系列の全候補を前記フレームに対して周波数方向に順次掛け合わせて相関をとるＳＣＨ１相関値算出部８１０と、前記第２の系列の全候補を前記フレームに対して周波数方向に順次掛け合わせて相関をとるＳＣＨ２相関値算出部８３０と、ＳＣＨ１相関値算出部８１０にて得られる相関値に基づいて前記フレームタイミングを検出するフレームタイミング検出部８２０と、ＳＣＨ２相関値算出部８３０にて得られる相関値に基づいて前記コードグループを検出するコードグループ検出部８４０とを設け、ＳＣＨ２相関値算出部８３０は、フレームタイミング検出部８２０にて検出された前記フレームタイミングに基づいて前記フレームにおける前記第２の系列が配置されている位置に前記第２の系列の全候補を順次掛け合わせる。
【００９２】
こうすることにより、ＳＣＨ系列とＴＣＨ系列との干渉を防止してＴＣＨ系列の受信品質を向上することができる。またさらに、移動局装置８００において第１の系列（ＳＣＨ１系列）を用いてフレームタイミングを検出した後は第２の系列（ＳＣＨ２系列）のフレームにおける位置（配置）が決まるので、相関演算処理量を低減することができる。また、フレームタイミングの検出と、コードグループの検出とを同時に行う必要がないので、時間ごとの処理量を低減することができる。
【００９３】
（実施の形態５）
本実施の形態の特徴は、基地局装置がフレーム中の２ＯＦＤＭシンボルに、フレームタイミング検出用の第１の系列（ＳＣＨ１）とコードグループ同定用の第２の系列（ＳＣＨ２）とを配置して送信する点にある。
【００９４】
図１７に示すように実施の形態５の基地局装置９００は、フレーム形成部９１０を有する。このフレーム形成部９１０は、フレーム構成部９２０と、ＳＣＨ挿入部９３０とを有する。
【００９５】
フレーム構成部９２０は、ＣＰＩＣＨシンボルおよび変調後の信号を入力し、ＳＣＨ挿入部９３０にて２つの異なるＳＣＨ系列（ＳＣＨ１、ＳＣＨ２）が挿入されるフレームにおける位置を考慮して、周波数軸上および時間軸上の予め決められている位置に配置する。こうしてフレーム構成部９２０にて組み立てられたフレームはスクランブリング処理部１３０に入力される。
【００９６】
ＳＣＨ挿入部９３０は、スクランブリング処理部１３０にて基地局スクランブリングコードが掛け合わされたフレームに対して、２つの異なるＳＣＨ系列（ＳＣＨ１、ＳＣＨ２）を挿入する。本実施の形態においては、スクランブリング処理後のフレーム中の予め定められている２ＯＦＤＭシンボルに、即ち２つのシンボルタイミングのサブキャリア上に、２つの異なるＳＣＨ系列（ＳＣＨ１、ＳＣＨ２）を、挿入する。
【００９７】
以上のようにフレーム形成部９１０により形成されるフレームは図１８に示すような構成をとる。すなわち、フレーム中の予め定められている２ＯＦＤＭシンボルには、１つのＯＦＤＭシンボルのすべてのシンボルにＳＣＨ１系列が周波数軸方向に配置され、もう１つのＯＦＤＭシンボルの一部のシンボルにＳＣＨ２系列が周波数軸方向に配置され、他のＯＦＤＭシンボルにはＴＣＨ（Traffic CHannel）が配置され、ＳＣＨ系列とＴＣＨ系列とが周波数に関して重なるところがないフレーム構成となっている。
【００９８】
このようなフレーム構成をとることにより、ＳＣＨ系列とＴＣＨ系列との間の干渉を防止することができるため、このフレームの受信側におけるＴＣＨの受信品質を向上することができる。特に、図１８においては、ＳＣＨ１系列とＳＣＨ２系列とが、隣接するＯＦＤＭシンボルに配置される構成となっている。
【００９９】
なお、ここでは、２つの異なるＳＣＨ系列のうちＳＣＨ２には、基地局スクランブリングコードをグルーピングするコードグループに対応するコードグループ系列が用いられる。そして、ＳＣＨ１はフレームタイミング検出に用いられ、ＳＣＨ２はコードグループ同定のために用いられる。
【０１００】
ここで図１８に示すフレーム構成においては、フレームタイミング検出用のＳＣＨ１は、１ＯＦＤＭシンボルのすべてのサブキャリアに配置されている。これは、初期セルサーチにおいて、フレームタイミングの検出が最も重要なステップであるためである。よって、フレームにおける１ＯＦＤＭシンボルのすべてのサブキャリアに、フレームタイミング検出用のＳＣＨ１を配置することにより、初期セルサーチの確実性を向上することができる。
【０１０１】
図１９に示すように実施の形態５の移動局装置１０００は、ＳＣＨ１相関値算出部１０１０と、フレームタイミング検出部１０２０と、ＳＣＨ２相関値算出部１０３０と、コードグループ検出部１０４０と、スクランブリングコード同定部１０５０とを有する。
【０１０２】
ＳＣＨ１相関値算出部１０１０は、ＦＦＴ処理後の受信信号を入力し、１フレーム分のすべてのＯＦＤＭシンボルについて、すべてのサブキャリアに関し受信信号とＳＣＨ１系列のレプリカとの周波数方向の相関演算を行う。
【０１０３】
フレームタイミング検出部１０２０は、ＳＣＨ１相関値算出部１０１０にて算出された相関値をＯＦＤＭシンボルごとに電力加算し、最も大きな加算相関値（最大加算相関値）が得られるタイミングをフレームタイミングとして検出する。そして、フレームタイミング検出部１０２０は、フレームタイミング情報をＳＣＨ２相関値算出部１０３０に出力する。
【０１０４】
ＳＣＨ２相関値算出部１０３０は、ＦＦＴ処理後の受信信号を入力し、フレームタイミング検出部１０２０からのフレームタイミング情報が示すフレームタイミングに従って、ＳＣＨ２系列が多重されているＯＦＤＭシンボル上のサブキャリア、具体的にはＳＣＨ１系列が重畳されていたＯＦＤＭシンボルに隣接するＯＦＤＭシンボル上のサブキャリアに関し受信信号とＳＣＨ２系列のレプリカとの周波数方向の相関演算を行う。ここで、フレームタイミングが検出されると、ＳＣＨ２系列のフレームにおける位置（時間および周波数により特定できる）が決まるので、相関演算処理量を低減することができる。
【０１０５】
コードグループ検出部１０４０は、ＳＣＨ２相関値算出部１０３０にて算出された相関値をＯＦＤＭシンボルごとに電力加算し、最大加算相関値を求める際に用いられたＳＣＨ２系列レプリカに対応するコードグループを、コードグループとして検出する。
【０１０６】
スクランブリングコード同定部１０５０は、フレームタイミング検出部１０２０にて検出されたフレームタイミングに従って受信信号から抽出されたＣＰＩＣＨ信号と、同定されたコードグループに属するすべてのスクランブリングコードに対応するＣＰＩＣＨレプリカとの相関演算を行い、最も大きな相関値の得られるＣＰＩＣＨレプリカに対応するスクランブリングコードを基地局装置９００のセルに対応する基地局スクランブリングコードであると同定する（セルサーチの第３段階）。
【０１０７】
なお、上記説明においてはＳＣＨ１系列とＳＣＨ２系列とが、隣接するＯＦＤＭシンボル上に配置されるフレーム構成について説明を行ったが、これに限定されるものではなく、ＳＣＨ１系列とＳＣＨ２系列とは離れたＯＦＤＭシンボル上に配置されてもよい。要は、フレームの先頭から所定の位置の１ＯＦＤＭシンボルのすべてのシンボルにＳＣＨ１系列を配置し、受信側においてこのＳＣＨ１系列とＳＣＨ系列レプリカとの周波数方向の相関値に基づいてフレームタイミングが同定でき、さらにフレームの先頭から所定の位置の上記ＳＣＨ１系列が配置されているＯＦＤＭシンボルとは別のＯＦＤＭシンボルの一部又はすべてのシンボルにＳＣＨ２系列を配置し、受信側においてこのＳＣＨ２系列とＳＣＨ系列レプリカとの周波数方向の相関値に基づいてコードグループを同定できればよい。特に、ＳＣＨ２系列をＯＦＤＭシンボルの一部のシンボルに配置するときには、そのシンボルにＴＣＨを配置することができる。
【０１０８】
このように実施の形態５によれば、基地局装置９００に、送信データ（ＴＣＨ系列）と受信側（移動局装置１０００）においてフレームタイミングおよび基地局スクランブリングコードが所属するコードグループを同定するために用いられる系列（ＳＣＨ系列）とを、サブキャリアおよび時間により特定される、同一のシンボルで互いに重ならないように配置してフレームを形成するフレーム形成部９１０と、形成された前記フレームを送信するＲＦ送信部１５０とを設け、このフレーム形成部９１０は、フレームタイミングを同定するための第１の系列を前記ＯＦＤＭシンボルのすべてのシンボルに配置し、当該第１の系列と異なる前記コードグループを同定するための第２の系列を、前記第１の系列が配置されたＯＦＤＭシンボルと異なるＯＦＤＭシンボルのすべて又は一部のシンボルに配置する。
【０１０９】
こうすることにより、ＳＣＨ系列とＴＣＨ系列とを同一周波数上に時間的に重なることなく配置することができるので、ＳＣＨ系列とＴＣＨ系列との干渉を防止してＴＣＨ系列の受信品質を向上することができる。
【０１１０】
また、実施形態５によれば、基地局装置９００から送信されたフレームに基づいてセルサーチを行う移動局装置１０００に、フレームタイミングを同定するための第１の系列（ＳＣＨ１系列）が前記ＯＦＤＭシンボルのすべてのシンボルに配置され、当該第１の系列と異なる前記コードグループを同定するための第２の系列（ＳＣＨ２系列）が、前記第１の系列が配置されたＯＦＤＭシンボルと異なるＯＦＤＭシンボルのすべて又は一部のシンボルに配置されたフレームを受信するＲＦ受信部２１０と、前記第１の系列の全候補を前記フレームに対して周波数方向に順次掛け合わせて相関をとるＳＣＨ１相関値算出部１０１０と、前記第２の系列の全候補を前記フレームに対して周波数方向に順次掛け合わせて相関をとるＳＣＨ２相関値算出部１０３０と、ＳＣＨ１相関値算出部１０１０にて得られる相関値に基づいて前記フレームタイミングを検出するフレームタイミング検出部１０２０と、ＳＣＨ２相関値算出部１０３０にて得られる相関値に基づいて前記コードグループを検出するコードグループ検出部１０４０とを設け、ＳＣＨ２相関値算出部１０３０は、フレームタイミング検出部１０２０にて検出された前記フレームタイミングに基づいて前記フレームにおける前記第２の系列が配置されている位置に前記第２の系列の全候補を順次掛け合わせる。
【０１１１】
こうすることにより、ＳＣＨ系列とＴＣＨ系列との干渉を防止してＴＣＨ系列の受信品質を向上することができる。またさらに、移動局装置１０００において第１の系列（ＳＣＨ１系列）を用いてフレームタイミングを検出した後は第２の系列（ＳＣＨ２系列）のフレームにおける位置（配置）が決まるので、相関演算処理量を低減することができる。また、フレームタイミングの検出と、コードグループの検出とを同時に行う必要がないので、時間ごとの処理量を低減することができる。さらに、フレームタイミング検出用の第１の系列（ＳＣＨ１系列）が前記ＯＦＤＭシンボルのすべてのシンボルに配置されているので、初期セルサーチの確実性を向上することができる。
【産業上の利用可能性】
【０１１２】
本発明は、同期をとるための系列と送信データとの干渉を防止して送信データの受信品質を向上するものとして有用である。
【符号の説明】
【０１１３】
１００、３００、５００、９００  基地局装置
１０５  誤り訂正符号化部
１１０  変調部
１１５  ＣＰＩＣＨ生成部
１２０、３１０、５１０、７１０、９１０  フレーム形成部
１２５、３２０、５２０、７２０、９２０  フレーム構成部
１３０  スクランブリング処理部
１３５、３３０、５３０、７３０、９３０  ＳＣＨ挿入部
１４０  ＩＦＦＴ部
１４５  ＧＩ挿入部
１５０  ＲＦ送信部
２００、４００、６００、８００、１０００  移動局装置
２１０  ＲＦ受信部
２２０  シンボルタイミング検出部
２３０  ＦＦＴ処理部
２４０、６１０  ＳＣＨ相関値算出部
２５０、６２０  フレームタイミング／コードグループ検出部
２６０、４５０、８５０、１０５０  スクランブリングコード同定部
２７０  デスクランブリング処理部
２８０  復調部
２９０  誤り訂正復号部
４１０、８１０、１０１０  ＳＣＨ１相関値算出部
４２０、８２０、１０２０  フレームタイミング検出部
４３０、８３０、１０３０  ＳＣＨ２相関値算出部
４４０、８４０、１０４０  コードグループ検出部
【図１】
2011015447.tif 000003
【図２】
2011015447.tif 000004
【図３】
2011015447.tif 000005
【図４】
2011015447.tif 000006
【図５】
2011015447.tif 000007
【図６】
2011015447.tif 000008
【図７】
2011015447.tif 000009
【図８】
2011015447.tif 000010
【図９】
2011015447.tif 000011
【図１０】
2011015447.tif 000012
【図１１】
2011015447.tif 000013
【図１２】
2011015447.tif 000014
【図１３】
2011015447.tif 000015
【図１４】
2011015447.tif 000016
【図１５】
2011015447.tif 000017
【図１６】
2011015447.tif 000018
【図１７】
2011015447.tif 000019
【図１８】
2011015447.tif 000020
【図１９】
2011015447.tif 000021
【図２０】
2011015447.tif 000022